(57)【要約】【課題】洗濯兼脱水槽と攪拌翼の間で洗濯物を捩り洗いし、洗濯性能を向上すると共に洗濯物の絡みを防止する。【解決手段】外槽３３内に回転可能に設けられた洗濯兼脱水槽３４と、前記洗濯兼脱水槽３４の底部に設けられた撹拌翼３５と、前記洗濯兼脱水槽３４と前記撹拌翼３５を回転させる駆動手段３６とを具備し、前記攪拌翼３５は、攪拌体３５ａと前記攪拌体３５ａの底部に設けた攪拌羽根３５ｂを備えたものである。【選択図】図１
2005198934.tif 000002
【特許請求の範囲】
【請求項１】
外槽内に回転可能に設けられた洗濯兼脱水槽と、前記洗濯兼脱水槽の底部に設けられた撹拌翼と、前記洗濯兼脱水槽と前記撹拌翼を回転させる駆動手段とを具備し、前記攪拌翼は、攪拌体と前記攪拌体の底部に設けた攪拌羽根を備えた洗濯機。
【請求項２】
攪拌体は、底部からの側壁高さを洗濯兼脱水槽の略１／２に設定した請求項１記載の洗濯機。
【請求項３】
攪拌体の側壁の内面に凸部を形成した請求項１または２記載の洗濯機。
【請求項４】
洗濯兼脱水槽の内壁に攪拌部を設けた請求項１〜３のいずれか１項に記載の洗濯機。
【請求項５】
攪拌体と攪拌羽根が独立して回転するようにした請求項１記載の洗濯機。
【請求項６】
水位が低い時は攪拌羽根のみが回転するようにした請求項５記載の洗濯機。
【請求項７】
攪拌体は、水位に応じて上下動自在に構成した請求項６記載の洗濯機。
【発明の詳細な説明】
【技術分野】
【０００１】
本発明は、洗濯効果の向上と、洗濯物の絡みを防止するために、洗濯兼脱水槽と攪拌翼の間で洗濯物を捩り洗いすることができる洗濯機に関するものである。
【背景技術】
【０００２】
従来、この種の洗濯機は、洗濯槽と回転軸の回転によって回転されて垂直形の水流を形成するためのパルセーターからなり、ハート形の水流を除去することで洗濯槽の中央部分での洗濯物同士の絡み合いを防止し、洗濯物がパルセーターに摩擦されるので、洗濯効果がより向上されるように構成している（例えば、特許文献１参照）。
【０００３】
図１０は、特許文献１に記載された従来の洗濯機を示すものである。図１０に示すように、洗濯槽１は多数の通水孔２を有する。洗濯槽１の外部の底面にはモータ４の一側が連結され、モータ４の他側はプーリ５及びプーリベルト６を介してシャフトハウジング７の一側８と連結される。シャフトハウジング７の他側は回転軸９と連結され、回転軸９は洗濯槽１底面より内側に突出する。回転軸９はパルセーター１１と咬合され、パルセーター１１は、円板３と、円板３の外周に沿って一定の間隔をおいて上記円板３と垂直に形成され、上記円板３とともに回転する多数の支持台１２と、多数の支持台１２の内側面上に長手方向に突設され上記支持台１２の回転の時、垂直形の水流を形成させる多数の羽根突起１０とで構成されている。
【０００４】
パルセーター１１が回転すれば、円板３と垂直に形成された多数の羽根突起１０によって洗濯水が洗濯槽１中心方向に圧迫され、洗濯槽１の中心部の洗濯水、即ち、パルセーター１１の内側の洗濯水は上昇される。更に、上昇した洗濯水は、重力により洗濯水１の壁面に沿って下降しながら垂直形の水流を形成する。洗濯物は、洗濯水の水流によって移動され、多数の羽根突起１０と摩擦する。これによって、洗濯物の汚れが除去されるようになり、洗濯槽１の中央部で発生する洗濯物同士の絡み合いが解除されて洗濯効果はより向上されるように構成されている。
【０００５】
また、洗濯翼に底面部と側面部を設け、前記底面部と側面部の各々に羽根を形成したものも考えられている（例えば、特許文献２参照）。
【特許文献１】特開平９−１９５９０号公報
【特許文献２】特公昭６１−２７０７８号公報
【発明の開示】
【発明が解決しようとする課題】
【０００６】
しかしながら、前記従来の構成では、パルセーターの側壁が洗濯槽の側壁の高さとほぼ同じであるため、洗濯物が回転するパルセーターと供回りして、洗濯物への機械力が弱くなり、充分な洗濯性能が確保できないといった問題を有していた。また、洗濯性能を向上するためにパルセーターの正反転サイクルを速くすると、パルセーター側壁部の洗濯物と中央部の洗濯物に位置的なずれによる絡みが発生するという問題も有していた。
【０００７】
本発明は、前記従来の課題を解決するもので、洗濯兼脱水槽と攪拌翼の間で洗濯物を捩り洗いし、洗濯性能を向上すると共に洗濯物の絡みを防止し、取り出し易く、脱水時のアンバランスが少なく振動の小さい洗濯機を提供することを目的とする。
【課題を解決するための手段】
【０００８】
前記従来の課題を解決するために、本発明の洗濯機は、外槽内に回転可能に設けられた洗濯兼脱水槽と、前記洗濯兼脱水槽の底部に設けられた撹拌翼と、前記洗濯兼脱水槽と前記撹拌翼を回転させる駆動手段とを具備し、前記攪拌翼は、攪拌体と前記攪拌体の底部に設けた攪拌羽根を備えたものである。
【０００９】
これによって、攪拌翼の正反転で、洗濯兼脱水槽の上部にある洗濯物と攪拌体の近傍にある洗濯物は両者の相対位置のずれにより捩じられたり、戻されたりを繰り返して洗濯されることになる。また、攪拌羽根はハート型の水流を発生し、洗濯兼脱水槽上部の洗濯物と攪拌体の近傍の洗濯物が入れ替わり、洗濯物に均一に機械力が加わることになる。従って、洗濯性能を向上すると共に洗濯物の絡みを防止することができる。
【発明の効果】
【００１０】
本発明の洗濯機は、洗濯性能を向上すると共に洗濯物の絡みを防止し、取り出し易く、脱水時のアンバランスが少なく振動の小さい洗濯機を提供することができる。
【発明を実施するための最良の形態】
【００１１】
第１の発明は、外槽内に回転可能に設けられた洗濯兼脱水槽と、前記洗濯兼脱水槽の底部に設けられた撹拌翼と、前記洗濯兼脱水槽と前記撹拌翼を回転させる駆動手段とを具備し、前記攪拌翼は、攪拌体と前記攪拌体の底部に設けた攪拌羽根を備えたことにより、攪拌翼の正反転で、洗濯兼脱水槽の上部にある洗濯物と攪拌体の近傍にある洗濯物は両者の相対位置のずれにより捩じられたり、戻されたりを繰り返して洗濯されることになるとともに、攪拌羽根はハート型の水流を発生し、洗濯兼脱水槽上部の洗濯物と攪拌体の近傍の洗濯物が入れ替わって洗濯物に均一に機械力が加わることになるので、洗濯性能を向上すると共に洗濯物の絡みを防止することができる。
【００１２】
第２の発明は、特に、第１の発明の攪拌体の側壁の底部からの高さを洗濯兼脱水槽の略１／２に設定したことにより、洗濯兼脱水槽の上部の洗濯物の量と攪拌体内の洗濯物の量が等しくなり、効果的に捩じり洗いを行うことができ、洗濯性能を向上することができる。
【００１３】
第３の発明は、特に、第１または第２の発明の攪拌体の側壁の内面に凸部を形成したことにより、攪拌体の側壁と洗濯物のすべりが少なくなり、洗濯物を効率良く捩じることができるので、洗濯性能を向上することができる。
【００１４】
第４の発明は、特に、第１〜第３のいずれかの発明の洗濯兼脱水槽の内壁に攪拌部を設けたことにより、洗濯兼脱水槽の側壁と洗濯物のすべりが少なくなり、洗濯物を効率良く捩じることができるので、洗濯性能を更に向上することができる。
【００１５】
第５の発明は、特に、第１の発明の攪拌体と攪拌羽根が独立して回転するようにしたことにより、攪拌体を正反転して行う捩じり洗いと、攪拌羽根を正反転してハート型水流を発生させて行う洗濯物の上下入れ替えを分離することができ、洗濯物の絡みを更に防止することができる。
【００１６】
第６の発明は、特に、第５の発明において、水位が低い時は攪拌羽根のみが回転するようにしたことにより、洗濯物の量が少なくて、攪拌体内に収まる場合でも、攪拌体の側壁と攪拌羽根との間で洗濯物を捩じり洗いすることができ、洗濯量に応じた最適な洗濯が可能になる。
【００１７】
第７の発明は、特に、第６の発明の攪拌体を水位に応じて上下動自在に構成したことにより、水位が高いときには、攪拌体は上昇して攪拌羽根と合体し、水位が低いときには、下降して洗濯兼脱水槽と合体することになり、特別な切り替え機構を必要としないので、安価に洗濯物の量に応じた最適な洗濯を可能にすることができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における洗濯機の断面図、図２は、同洗濯機の平面図を示すものである。
【００２０】
図１において、洗濯機外枠３１は、４本の吊り棒３２により外槽３３を吊り下げている。洗濯兼脱水槽３４は、外槽３３内に回転自在に配設されている。洗濯兼脱水槽３４の内側底部には攪拌翼３５を回転自在に配設している。攪拌翼３５は、攪拌体３５ａと攪拌体３５ａの底部に設けた攪拌羽根３５ｂとで構成されている。モータ（駆動手段）３６は、ブラシレス直流モータから成っており、インバータ制御され、回転速度を自在に変化できるようになっている。そして減速機構３７を介して攪拌翼３５および洗濯兼脱水槽３４を駆動する。洗濯水供給手段３８は洗濯兼脱水槽３４内に給水するものである。排水手段３９は、外槽３３内の洗濯液を排水するものである。駆動手段３６は、洗濯兼脱水槽３４と攪拌翼３５を交互に回転させている。攪拌翼３５の回転は、正反転の繰り返しである。
【００２１】
以上のように構成された洗濯機について、以下その動作、作用を説明する。まず、洗濯物４０と洗剤を洗濯兼脱水槽３４に投入し、運転を開始する。洗濯水供給手段３８が作動し、洗濯兼脱水槽３４内に洗濯水が供給される。また、駆動手段３６により減速機構３７を介して洗濯兼脱水槽３４を低速回転する。この回転で、洗剤と洗濯水が混ぜ合わされ洗濯液となる。規定水位に達すると、洗濯水供給手段３８と洗濯兼脱水槽３４の回転は停止し、次に、攪拌翼３５を正反転する。
【００２２】
このとき、攪拌体３５ａ内の下部にある洗濯物４０ａは攪拌体３５ａの回転につられて回転する。しかし、洗濯兼脱水槽３４は静止しているので、洗濯兼脱水槽３４の上部の洗濯物４０ｂとの間に相対位置のずれが生じ、洗濯物４０ａと洗濯物４０ｂは捩じられたり、戻されたりを繰り返すことになる。所定時間経過後、攪拌翼３５の正反転サイクルが長くなり、攪拌羽根３５ｂが発生するハート型水流が強くなって、洗濯物４０ａと洗濯物４０ｂの上下位置が入れ替わる。その後、攪拌翼３５の正反転サイクルは元のように短くなり、捩じり洗いを再び行うようになる。これらの繰り返しで洗濯が進行する。
【００２３】
以上のように、本実施例の形態においては、攪拌翼３５の正反転で、洗濯兼脱水槽３４の上部にある洗濯物４０ｂと攪拌体３５ａの近傍にある洗濯物４０ａは両者の相対位置のずれにより捩じられたり、戻されたりを繰り返して洗濯されることになる。また、攪拌羽根３５ｂはハート型の水流を発生し、洗濯兼脱水槽３４の上部の洗濯物４０ｂと攪拌体３５ａの近傍の洗濯物４０ａが入れ替わり、洗濯物４０に均一に機械力が加わることになる。従って、洗濯性能を向上すると共に洗濯物４０の絡みを防止することができる。
【００２４】
（実施の形態２）
図３は、本発明の第２の実施の形態における洗濯機の断面図を示すものである。図３において、実施の形態１の攪拌体３５ａは底部からの側壁高さ３５ｃを洗濯兼脱水槽３４の側壁高さＬの略１／２に設定したものである。洗濯兼脱水槽３４の上部の洗濯物４０ｂの量と攪拌体３５ａ内の洗濯物４０ａの量が等しくなり、効果的に捩じり洗いを行うことができ、洗いむらを防止し洗濯性能を向上することができる。
【００２５】
（実施の形態３）
図４は、本発明の第３の実施の形態における洗濯機の断面図を示すものである。図４において、実施の形態１または２の攪拌体３５ａの側壁３５ｃの内面に内方へ突出するように上下方向に長く凸部４１を形成したものである。凸部４１は円錐形状、または棒形状あるいは円錐形状と棒形状の複合形状でもよい。また、凸部４１の各端部は洗濯物を傷つけないように面取り加工されている。このことにより、攪拌体３５ａの内壁に接触した洗濯物４０は凸部４１に引っかかり、結果として攪拌体３５ａの内壁と洗濯物４０のすべりが少なくなり、洗濯物を効率良く捩じることができるので、洗濯性能を向上することができる。
【００２６】
（実施の形態４）
図５は、本発明の第４の実施の形態における洗濯機の断面図を示すものである。図５において、実施の形態１〜３の洗濯兼脱水槽３４の内壁に内方へ突出するように上下方向に長く延びる攪拌部４２を複数設けたものである。攪拌部４２は、円錐形状または棒形状あるいは円錐形状と棒形状の複合形状でもよい。また、攪拌部４２の各端部は洗濯物を傷つけないように滑らかに面取り加工されている。
【００２７】
本実施例の形態においては、攪拌翼３５の正反転で、洗濯兼脱水槽３４の上部にある洗濯物４０ｂと、攪拌体３５ａの近傍にある洗濯物４０ａは、両者の相対位置のずれにより捩じられたり、戻されたりを繰り返して洗濯されることになる。このことにより、洗濯兼脱水槽３４の内壁に接触した洗濯物４０は攪拌部４２に引っかかり、結果として洗濯兼脱水槽３４の内壁と洗濯物４０のすべりが少なくなり、洗濯物を効率良く捩じることができるので、洗濯性能を更に向上することができる。
【００２８】
（実施の形態５）
図６は、本発明の第５の実施の形態における洗濯機の断面図を示すものである。図６において、攪拌羽根３５ｂは回転軸４３に、攪拌体３５ａは攪拌軸４４にそれぞれ取り付けられている。回転軸４３と攪拌軸４４の回転の切り替えは減速機構３７で行っている。洗濯時、洗濯兼脱水槽３４は静止している。攪拌体３５ａが正反転しているときは捩じり洗いを行い、攪拌羽根３５ｂが正反転しているときはハート型水流が発生して、洗濯物の上下入れ替えが行われる。このことにより、攪拌体３５ａを正反転して行う捩じり洗いと、攪拌羽根３５ｂを正反転してハート型水流を発生させて行う洗濯物の上下入れ替えを分離することができ、洗濯物の絡みを更に防止することができる。
【００２９】
（実施の形態６）
図７は、本発明の第６の実施の形態における洗濯機の断面図を示すものである。図７において、固定片４５が、攪拌体３５ａの外側底面に放射状に設けられている。固定部４６は、洗濯兼脱水槽３４の内側底面に設けられており、固定片４５が嵌合するような複数の溝で構成されている。水位が低く洗濯物の量が少ない時は、固定片４５と固定部４６が嵌合し、攪拌体３５ａは洗濯兼脱水槽３４と合体することになり、攪拌羽根３５ｂのみが回転する。洗濯物の量が少なくて、攪拌体３５ａ内に収まる場合でも、攪拌体３５ａの側壁と攪拌羽根３５ｂとの間で洗濯物を捩じり洗いすることができ、洗濯量に応じた最適な洗濯が可能になる。
【００３０】
（実施の形態７）
図８は、本発明の第７の実施の形態における洗濯機の断面図、図９は、同洗濯機の要部の斜視図を示すものである。
【００３１】
図８、図９において、攪拌羽根３５ｂの底面には、放射状に固定爪４７が設けられている。攪拌体３５ａの内側底面には、固定爪４７が嵌合するように複数の溝で構成された嵌合部４８が設けられている。攪拌体３５ａの内壁に設けられた凸部４９は内部が中空になっており、凸部４９が水没すると浮力で攪拌体３５ａが上方へ移動するようにしている。攪拌体３５ｂは洗濯兼脱水槽３４の駆動軸５０の周りを自在に回転すると共に上下方向にスライドもするように取り付けられている。
【００３２】
洗濯物の量が少なくて水位が低く、凸部４９が水没しない場合は、攪拌体３５ａは自重で下方へ移動し、固定片４５と固定部４６が嵌合して、攪拌体３５ａと洗濯兼脱水槽３４が合体することになり、攪拌羽根３５ｂのみが回転する。洗濯物の量が少なくて、攪拌体３５ａ内に収まる場合でも、このように攪拌体３５ａの側壁と攪拌羽根３５ｂとの間で洗濯物を捩じり洗いすることが可能になる。
【００３３】
洗濯物の量が多くて水位が高く、凸部４９が水没する場合は、浮力で攪拌体３５ａは上方へ移動し、固定爪４７と嵌合部４８が嵌合し、攪拌体３５ａと攪拌羽根３５ｂが合体して回転することになり、洗濯兼脱水槽３４と攪拌体３５ａの間で捩じり洗いが可能となる。攪拌体３５ａを水位に応じて上下動自在に構成したことにより、水位が高いときには、攪拌体３５ａは上昇して攪拌羽根３５ｂと合体し、水位が低いときには、下降して洗濯兼脱水槽３４と合体することになり、特別な切り替え機構を必要としないので、安価に洗濯物の量に応じた最適な洗濯を可能にすることができる。
【産業上の利用可能性】
【００３４】
以上のように、本発明に関わる洗濯機は、洗濯物のほぐしにも有効であり、乾燥機能の付いた洗濯機にも適用できる。
【図面の簡単な説明】
【００３５】
【図１】本発明の実施の形態１における洗濯機の断面図
【図２】同洗濯機の平面図
【図３】本発明の実施の形態２における洗濯機の断面図
【図４】本発明の実施の形態３における洗濯機の断面図
【図５】本発明の実施の形態４における洗濯機の断面図
【図６】本発明の実施の形態５における洗濯機の断面図
【図７】本発明の実施の形態６における洗濯機の断面図
【図８】本発明の実施の形態７における洗濯機の断面図
【図９】同洗濯機の要部の分解斜視図
【図１０】従来の洗濯機の断面図
【符号の説明】
【００３６】
３３  外槽
３４  洗濯兼脱水槽
３５  攪拌翼
３５ａ  攪拌体
３５ｂ  攪拌羽根
３５ｃ  側壁高さ
３６  駆動手段
４１  凸部
４２  攪拌部
【図１】
2005198934.tif 000003
【図２】
2005198934.tif 000004
【図３】
2005198934.tif 000005
【図４】
2005198934.tif 000006
【図５】
2005198934.tif 000007
【図６】
2005198934.tif 000008
【図７】
2005198934.tif 000009
【図８】
2005198934.tif 000010
【図９】
2005198934.tif 000011
【図１０】
2005198934.tif 000012